(57)【要約】【課題】コットン等の液剤含浸材を良好に電極部に圧着固定することができる美容機器を提供する。【解決手段】美容を行うための電流を出力する電極部を一端側表面に設け、前記電極部に電流を供給する電源部を内蔵すると共に、前記電極部側から伸延する把持部を一体形成した本体ケーシングと、縁に突起が形成された開口部を有し、前記電極部を被覆した状態の液剤含浸材を前記開口部から露出させた状態で保持するカバー体と、を備えた美容機器において、前記カバー体は、前記本体ケーシングの長手方向の中途部を枢支部として前記電極部側を自由端として開閉自在であり、閉じられた時に前記本体ケーシングの自由端側の側壁面部との間に所定の間隙が形成されるように外縁を内側に折曲した鍔部を有し、前記液剤含浸材を前記開口部から露出させた状態で保持したときに、カバー体により電極部に圧着された液剤含浸材は、前記カバー体の鍔部と前記突起により本体ケーシングの背面側に導かれて突出することとした。【選択図】図１２
2010279741.tif 000002
【特許請求の範囲】
【請求項１】
美容を行うための電流を出力する電極部を一端側表面に設け、前記電極部に電流を供給する電源部を内蔵すると共に、前記電極部側から伸延する把持部を一体形成した本体ケーシングと、縁に突起が形成された開口部を有し、前記電極部を被覆した状態の液剤含浸材を前記開口部から露出させた状態で保持するカバー体と、を備えた美容機器において、前記カバー体は、前記本体ケーシングの長手方向の中途部を枢支部として前記電極部側を自由端として開閉自在であり、閉じられた時に前記本体ケーシングの自由端側の側壁面部との間に所定の間隙が形成されるように外縁を内側に折曲した鍔部を有し、前記液剤含浸材を前記開口部から露出させた状態で保持したときに、カバー体により電極部に圧着された液剤含浸材は、前記カバー体の鍔部と前記突起により本体ケーシングの背面側に導かれて突出することを特徴とする美容機器。
【請求項２】
前記把持部の側壁面部に、使用者の身体を介して前記電極部と導通する対電極部を配設したことを特徴とする請求項１に記載の美容機器。
【請求項３】
前記枢支部と前記電極部の間に、カバー体と、本体ケーシングの間の閉状態を維持させるための開閉ロック機構を設けたことを特徴とする請求項１または２に記載の美容機器。
【請求項４】
前記カバー体の長さを、本体ケーシングの長さの半分よりもやや大きい長さとしたことを特徴とする請求項１〜３いずれか１項に記載の美容機器。
【請求項５】
前記枢支部と前記電極部の間を本体ケーシングとカバー体を重合させた把持領域形成部として把持可能に形成したことを特徴とする請求項１〜４いずれか１項に記載の美容機器。
【発明の詳細な説明】
【技術分野】
【０００１】
本発明は、美容機器に関する。
【背景技術】
【０００２】
従来、美容のために供する機器の一つとして、顔面や首筋、手指などの皮膚（以下、施療部位ともいう。）に通電して、イオン化された美容成分を施療部位に導入したり、施療部位の老廃物を除去する美容機器が知られている。
【０００３】
このような美容機器は、施療部位に当接させた状態で電流を出力する電極部と、前記電極部と逆の極性を有し、施療部位から離隔した皮膚に当接させる対電極部とを備えている。
【０００４】
そして、前記電極部の表面には、水や美容液等を含浸させた液剤含浸材を配設し、この液剤含浸材と人体（皮膚）とを介して電極部と対電極部との間で通電することにより、施療部位の老廃物を液剤含浸材に捕捉させたり、液剤含浸材中の美容成分を施療部位に導入するようにしている。
【０００５】
特に近年では、場所を問わずいつでも手軽に老廃物の除去やイオンの導入を行うことができるよう、美容機器を小型軽量化し、携帯容易にしたものが提供されている。（例えば、特許文献１参照。）。また、本体装置が別途備え付けられたような大掛かりなものであっても、コードを介して把持部を有す本体ケーシングを繋いだものも存在する。
【０００６】
このような小型軽量化された美容機器によれば、使用者は、所望の際に手軽に施療を行うことができるとしている。
【先行技術文献】
【特許文献】
【０００７】
【特許文献１】特開２００３−１０３４３号公報
【発明の概要】
【発明が解決しようとする課題】
【０００８】
しかしながら、上記従来の美容機器によれば、小型軽量化されたことで取り扱いは容易になったものの、施療毎に交換する液剤含浸材の使用可能な大きさが制限されており、未だ高い汎用性を有するとは言い難いものであった。
【０００９】
具体的に説明すると、一般に、液剤含浸材としては、予め所定の大きさに切りそろえてある市販の化粧用コットン（脱脂綿）が使用されるが、この市販のコットンは各社それぞれ異なった大きさや厚さを有するため、美容機器を手軽に使用可能とするためには、これらのコットンに柔軟に対応できる必要がある。
【００１０】
しかしながら、例えば、図１６（ａ）（ｂ）に示すように、上記従来の美容機器１００では、液剤含浸材（例えば、コットン１０５（図１６（ｂ）参照））を電極部１０１に圧着させようとすると、図１６（ｂ）に示すように、液剤含浸材１０５が美容機器１００の外側面に向けて突出することになる。このように美容機器１００の外側面に液剤含浸材１０５が突出すると、例えば、使用者が目の近傍を施療している場合、側方に突出した液剤含浸材１０５の端部が目に入ってしまったり、邪魔になったりするおそれがある。
【００１１】
本発明は、斯かる事情に鑑みてなされたものであって、コットン等の液剤含浸材を良好に電極部に圧着固定することができる美容機器を提供する。
【課題を解決するための手段】
【００１２】
上記従来の課題を解決するために、本発明では、美容を行うための電流を出力する電極部を一端側表面に設け、前記電極部に電流を供給する電源部を内蔵すると共に、前記電極部側から伸延する把持部を一体形成した本体ケーシングと、縁に突起が形成された開口部を有し、前記電極部を被覆した状態の液剤含浸材を前記開口部から露出させた状態で保持するカバー体と、を備えた美容機器において、前記カバー体は、前記本体ケーシングの長手方向の中途部を枢支部として前記電極部側を自由端として開閉自在であり、閉じられた時に前記本体ケーシングの自由端側の側壁面部との間に所定の間隙が形成されるように外縁を内側に折曲した鍔部を有し、前記液剤含浸材を前記開口部から露出させた状態で保持したときに、カバー体により電極部に圧着された液剤含浸材は、前記カバー体の鍔部と前記突起により本体ケーシングの背面側に導かれて突出することとした。
【００１３】
また、本発明に係る美容機器では、以下の点にも特徴を有する。
（１）  前記把持部の側壁面部に、使用者の身体を介して前記電極部と導通する対電極部を配設したこと。
（２）  前記枢支部と前記電極部の間に、カバー体と、本体ケーシングの間の閉状態を維持させるための開閉ロック機構を設けたこと。
（３）  前記カバー体の長さを、本体ケーシングの長さの半分よりもやや大きい長さとしたこと。
（４）  前記枢支部と前記電極部の間を本体ケーシングとカバー体を重合させた把持領域形成部として把持可能に形成したこと。
【発明の効果】
【００１４】
本発明によれば、液剤含浸材の余剰分を鍔部と上述した突起により本体ケーシングの裏面側に向けて導いて、裏面側に突出させることとしているため、使用者が、例えば目元近傍の施療を行った場合でも、液剤含浸材が目に入るおそれがなく、安全に施療を行うことができる。特に上述の突起は液剤含浸材の電極部に対する保持力を高める効果がある。
【図面の簡単な説明】
【００１５】
【図１】本実施形態に係る美容機器Ａの外観を示した斜視図である。
【図２】本実施形態に係る美容機器Ａの分解斜視図である。
【図３】本実施形態に係る美容機器Ａの側面図である。
【図４】本実施形態に係る美容機器Ａの背面図である。
【図５】本実施形態に係る美容機器Ａを開状態とした際の斜視図である。
【図６】本実施形態に係る美容機器Ａの電極部近傍における断面図である。
【図７】本実施形態に係る美容機器Ａの枢支部近傍における断面図である。
【図８】本実施形態に係る美容機器Ａの側面の枢支部近傍における断面図である。
【図９】本実施形態に係る美容機器Ａの側面の電極部近傍における断面図である。
【図１０】本実施形態に係る美容機器Ａの底面図である。
【図１１】回路基板の構成を示すブロック図である。
【図１２】他の実施形態に係る美容機器Ｂを側面から見た説明図である。
【図１３】他の実施形態に係る美容機器Ｃを示した説明図である。
【図１４】他の実施形態に係る美容機器Ｄを示した説明図である。
【図１５】他の実施形態に係る美容機器Ｅを示した説明図である。
【図１６】従来技術を示す参考図である。
【発明を実施するための形態】
【００１６】
本実施形態に係る美容機器は、美容を行うための電流を出力する電極部を表面に設け、前記電極部に電流を供給する電源部を内蔵すると共に、前記電極部側から伸延する把持部を一体形成した本体ケーシングと、開口部を有し、前記電極部を被覆した状態の液剤含浸材を前記開口部から露出させた状態で保持するカバー体と、を備え、前記カバー体は、前記本体ケーシングに重合させた状態で、当該カバー体を前記把持部と共に把持して前記液剤含浸材を当該カバー体と前記本体ケーシングとの間で押圧保持する把持領域形成部を有するものである。
【００１７】
すなわち、本発明は、本発明では、美容を行うための電流を出力する電極部を一端側表面に設け、前記電極部に電流を供給する電源部を内蔵すると共に、前記電極部側から伸延する把持部を一体形成した本体ケーシングと、縁に突起が形成された開口部を有し、前記電極部を被覆した状態の液剤含浸材を前記開口部から露出させた状態で保持するカバー体と、を備えた美容機器において、前記カバー体は、前記本体ケーシングの長手方向の中途部を枢支部として前記電極部側を自由端として開閉自在であり、閉じられた時に前記本体ケーシングの自由端側の側壁面部との間に所定の間隙が形成されるように外縁を内側に折曲した鍔部を有し、前記液剤含浸材を前記開口部から露出させた状態で保持したときに、カバー体により電極部に圧着された液剤含浸材は、前記カバー体の鍔部と前記突起により本体ケーシングの背面側に導かれて突出することで、安全に使用することができるハンディタイプの美容機器を提供することを目的としており、これを実現した美容機器としている。
【００１８】
このような美容機器は、例えば、電気的な力を利用した美容機器において適用され、例えば皮膚の老廃物等をイオンの力で導出させる、いわゆるイオンクレンジング器として使用することができる。
【００１９】
また、本実施形態に係る美容機器は、前述のイオンクレンジング器に限定されず、コットン等の液剤含浸材に含まれるイオン化成分を前記電極部からの電流（パルス電流）によって前記被施療部へ導入するいわゆるイオン導入器にも好適であることはいうまでもない。
【００２０】
ここで、施療部位は、特に限定されるものではないが、例えば本実施形態のように、本願発明に係る美容機器をイオンクレンジング器として使用する場合には、使用者が皮膚の老廃物を取り除きたい場所となる。特に、粘膜などからなるものではなく、顔面や手などのような肌であれば使用することができる。
【００２１】
また、本発明に係る美容機器をイオン導入器として使用した場合も同様であり、施療部位は特に限定されるものではなく、特に効果的には顔面を挙げることができる。
【００２２】
また、液剤含浸材は、液剤を含浸させることのできる素材であれば特に限定されるものではなく、略シート状に形成された布、コットン（脱脂綿）、スポンジ、ゲル体、不織布等のいずれであっても良い。
【００２３】
また、液剤含浸材に含浸させる液剤は、導電性を有する液剤であれば特に限定されるものではなく、水、イオン化成分溶液（電解質溶液）、化粧水、クレンジング液、またはこれらの混合溶液とすることができる。
【００２４】
併せて、液剤含浸材の形状は、例えば、矩形状、円形状、楕円形状、多角形状などあらゆる形状のものを使用することができ、サイズも適宜寸法のものを使用することができる。
【００２５】
また、前記従来の美容機器では、電極部に配置することのできる液剤含浸材の厚みは例えば５ｍｍまでというように限度があったが、本発明に係る美容機器によれば、液剤含浸材で被覆した電極部が開口から露出可能であれば厚みに関しても限定されない。
【００２６】
特に、イオン化成分溶液に含まれるイオン化成分としては、例えば、イオン化したビタミン類やミネラル分を挙げることができる。
【００２７】
本体ケーシングの表面に設けた電極部は、導電性のある金属や樹脂で形成している。また、対電極部も電極部と同様に、導電性のある金属や樹脂で形成しており、通電可能に構成しているが、電極部とは逆の極性となるようにしている。
【００２８】
そして、電極部を、液剤含浸材を介して皮膚（施療部位）にあてがうことにより、電極部から出力された電流は、液剤含浸材を通り、人体を介して対電極部へ流れることとなる。
【００２９】
すなわち、電極部と皮膚との間の電位勾配により、皮膚の老廃物を液剤含浸材に吸着させたり、液剤含浸材中のイオン化成分を施療部位に浸透させたりするようにしている。
【００３０】
また、この際、電極部からは、平滑電流が出力されるように構成してもよいが、パルス（パルス電流）が出力されるように構成するのが好ましい。このパルスの振幅やデューティー比などの各条件は特に限定されるものではなく、仕様や使用条件に合わせて適宜選択することができる。
【００３１】
このパルスは、電源部から供給される電流を、パルス出力部で変換することにより形成されるようにしてもよい。また、電源部は乾電池の他充電池でも良く、商用電源を直接利用するものや、別に備わる大型装置からコードなどで接続された本体ケーシングであっても電源部が内蔵されたとみなすこととする。
【００３２】
また、本発明における特徴的な構成として、液剤含浸材をカバー体と本体ケーシングとの間で押圧保持すべく、本体ケーシングに把持部を設ける一方、カバー体に把持領域形成部を設けている。
【００３３】
すなわち、カバー体の把持領域形成部と、本体ケーシングの把持部との両者を併せて把持することにより、液剤含浸材がカバー体と本体ケーシングとの間で挟持され、同液剤含浸材が電極部に押圧固定されるようにしている。
【００３４】
なお、カバー体と本体ケーシングは別体で構成されても良いが、後述する実施例のように枢支部を設けて、例えるならば、カバー体と本体ケーシングとの両者をトングのように機能させることも考えられる。
【００３５】
したがって、液剤含浸材の大きさや厚みに比較的左右されることなく、液剤含浸材を電極部に圧着固定することができ、使い勝手を極めて良好にすることができるのである。
【００３６】
また、使用者の身体を介して前記電極部と導通する対電極部は、把持部の側壁面部に形成すると良い。
【００３７】
対電極部を把持部の側壁面部だけでなく、背面側に亘って形成することにより、カバー体と本体ケーシングとの挟持状態を維持させるための把持姿勢が確実に対電極部を手指に接触させる姿勢につながり、従来のように対電極部を視認して意識的に接触する必要がなくなる。
【００３８】
また、使用者が把持部と把持領域形成部とを同時に把持する際に、挟持される液剤含浸材の弾性をもって反発する力が把持部の背面側に生じ、このことにより、使用者の手指にしっかりと対電極部が接触することとなり、確実に通電させることが出来る。
【００３９】
また、カバー体の長さは、少なくとも本体ケーシングの長さの半分以上とするのが好ましい。このような構成とすることにより、カバー体に設けられる把持領域形成部を大きくすることができ、これを手指で把持して電極部に載置した液剤含浸材を挟持しやすくなる。さらに、液剤含浸材を直接押圧する必要がないため、液剤含浸材に過剰な張力を与えることなく電極部に密着させることができる。
【００４０】
また開口部は縁の、本体ケーシング側、もしくは内側に突起を形成させるのが望ましい。この場合、液剤含浸材と開口部の当接力が高まり、装着性が向上する。突起の形状は連続的、断続的もしくは波状などが考えられる。
【００４１】
また、カバー体の長さは、本体ケーシングと略同長さに形成するようにしても良い。このような構成とすることにより、電極部に載置した液剤含浸材に過剰な張力が働くのを更に防止することができ、液剤含浸材を電極部に密着させることができる。
【００４２】
また、カバー体は、開口部が形成されたカバープレートの外縁を内側に折曲した鍔部を有し、液剤含浸材を押圧保持したときに、対電極部が配設された位置を除き当該鍔部と本体ケーシングの側壁面部との間に所定の間隙が形成されるようにカバープレートの幅を規定しても良い。
【００４３】
すなわち、本体ケーシングとカバープレートとを重合させた際に、開口部が形成された周辺の本体ケーシングとカバープレートとの間に、液剤含浸材を導く間隙を形成すると良い。
【００４４】
このような構成とすることにより、カバー体により電極部に圧着された液剤含浸材は、大きさによっては本体ケーシングとカバー体の鍔部との間に形成された間隙を通り、本体ケーシングの背面側に突出することとなるため、例えば、使用者が電極部（液剤含浸材）を顔面の目の近傍の皮膚に当接させた際に、カバー体よりはみ出した液剤含浸材が目に入ることを防止することができる。更には上記間隙に液剤含浸材が入り込むことでカバー体による電極部への圧着力が増大する。
【００４５】
また、側壁面部の対電極部が配設された位置は鍔部により覆われていないので本体ケーシングをカバー体とともに把持した時、対電極部がスムーズに確実に手に接触することになる。また、液剤含浸材を装着のためにカバー体を本体ケースに対し開閉や着脱させる際、本体ケースを側壁面部を保持したまま、液剤含浸材の装着作業が行え、使い勝手がよい。
【００４６】
また、前記カバー体を、前記本体ケーシングに枢支部を介して開閉自在に連結しても良い。
【００４７】
このような構成とすることにより、カバー体を開状態とすることにより、液剤含浸材を容易に電極部に配設することができると共に、カバー体を閉状態とすることで、容易に液剤含浸材を電極部に圧着固定することができる。なお、挟持時の液剤含侵材へかかる引張力や開口部縁との摩擦力や位置ずれの点から、カバー体を本体ケーシングに対して略水平方向にして液剤含侵材を押し付けることが望ましい。その点からも、前述したように、カバー体が本体ケーシングの長さの少なくとも半分以上とした場合は、電極部が開口部をくぐり始める際の、本体ケーシングに対するカバー体の角度をできるだけ小さくすることができ、結果的に本体ケーシングに対してカバー体を略水平方向に押し付けた状態に可及的に近づけることができる。
【００４８】
また、上記枢支部の位置としては、前記電極部を前記本体ケーシング表面の長手側方向の一端側に設ける一方、前記枢支部を前記本体ケーシングの長手側方向の他端に設けることがより好ましい。また、図７に示すように側壁面部を避けた位置に形成された凹部も望ましい。この場合、枢支部が表面から隠れ、本体ケーシングを把持する際に手が接触することもないので、カバー体の開閉がよりスムーズとなる。また外力に対し保護されているので、例えばカバー体との離脱を容易にするためにバネ性をもたせた係合部を設ける場合などに、簡略構造を採用することが出来る。
【００４９】
もちろん、枢支部は、上記のように電極部の位置の反対側の端部に設ける構成に限らず、後に図１３を用いて説明するが、電極部と同じ側の端部に設けても良い。また、電極部は端部に設ける必要はなく、端部からやや離れた位置でも良く、例えば本体ケーシングの中央に電極部が形成されていてもかまわない。
【００５０】
更には、枢支部の位置は図１４に示すように本体ケーシングの長手方向に沿った側部に設けられていても良い。
【００５１】
枢支部の位置が電極部と同一側にあれば、弱い把持力で十分な挟持力を付与させることが出来る効果があり、また枢支部の位置が側部であればカバー体の開閉時の回動量が軽減出来る効果がある。
【００５２】
更には図３に示すような実施例では、電極部を被施療部に当接させやすくするために美容機器本体及びカバー体を湾曲させて、電極部の突出方向を外側に向けているが、この場合は枢支部の位置が電極部と同一側にあれば枢支部を中心とした回動軌跡と電極部の突出方向が略一致し都合が良い。
【００５３】
このような構成とすることにより、カバー体の回動半径を大きくすることができて、液剤含浸材を載置した電極部がカバー体の開口を通過する際に、開口の周端部が液剤含浸材に略平行に当接することとなり、上述したようなことから、挟持時の液剤含侵材へ過剰な引張力がかかることや、位置ずれを効果的に防止することができる。
【００５４】
なお、枢支部には弾性体を配設して、本体ケーシングからカバー体が離隔する方向へ付勢したり、本体ケーシングとカバー体とが重合する方向に付勢したりするようにしても良い。
【００５５】
例えば、枢支部に、本体ケーシングからカバー体が離隔する方向へ付勢する弾性体を設けた場合、電極部に液剤含浸材を挿入するに際し、使用者がカバー体を離隔させて保持する動作を省くことができる。
【００５６】
また、枢支部に、本体ケーシングとカバー体とが重合する方向に付勢する弾性体を設けた場合には、使用者の握力が少ない場合でも、確実に液剤含浸材を美容機器に挟持させることができる。
【００５７】
また、本発明に係る美容機器は、使用時においては、カバー体の開口部と電極部が弾性のある液剤含浸材を介して嵌合した状態となっている場合が多く、把持による挟持力を得ずとも無用な開閉が生じにくい点に特徴がある。
【００５８】
しかしながら、美容機器の非使用時などでは、液剤含浸材との嵌合による離脱防止効果は得られない場合があるので、本体ケーシングとカバー体の無用な開閉を防止するために、把持領域形成部や枢支部に本体ケーシングにカバー体を係止するためのロック機構を設けるようにしても良い。把持領域形成部にロック機構を設けた場合、使用中は把持力によりロック機構が補強され、液剤含浸材との離脱防止効果が向上する。
【００５９】
また、ロック機構を非使用時以外に実際の液剤含浸材との嵌合時にも作用させるには、液剤含浸材の厚みの違いによる開閉角度の違いに対応させる必要があるが、枢支部と電極部が最も離れた位置関係にある場合、電極部から出来るだけ離れた位置にロック機構を設ければ開閉角度の違いが影響を受けにくくなる利点がある。後述する実施例１ではロック機構を枢支部に設け、カバー体の撓みにより電極部における液剤含浸材の厚みの違いを吸収させるとともに、電極部における施療中の肌との接触により発生する力が把持領域形成部での把持により人体で吸収されロック機構への影響を軽減させている。
【００６０】
また、前記電極部を、截頭円錐形状とすることができる。このような構成とすることにより、電極部（液剤含浸材）を顔面に当接させた際に、小鼻や目尻などの曲線や凹凸にフィットさせることができて、隅々まで容易に施療することができる。
【００６１】
以下、本発明に係る美容機器について、図面を参照しながら詳説する。
【００６２】
図１は、本実施形態に係る美容機器Ａの外観を示した斜視図、図２は本実施形態に係る美容機器Ａの分解斜視図、図３は本実施形態に係る美容機器Ａの側面図、図４は本実施形態に係る美容機器Ａの背面図である。
【００６３】
まず、美容機器Ａの概要を説明する。図１に示すように、本実施形態に係る美容機器Ａは、正面視略長矩形状で、側面視において僅かに円弧状に湾曲させた形状を有しており、同美容機器Ａの上部には、美容を行うための電流を出力する電極部１１を露出して形成している。
【００６４】
この電極部１１は、後に詳述するが、コットン等の液剤含浸材を載置して、美容機器Ａに挟持させることにより、使用者の施療部位に接触させて施療を行うための部位である。
【００６５】
また、図１及び図２にも示すように、美容機器Ａは、電極部１１を配設した美容機器本体１０と、電極部１１を露出させる略楕円形状の開口部１２を有し、側面視において美容機器本体１０に沿わせて円弧状に湾曲させたカバー体１３とを備えており、美容機器本体１０とカバー体１３とを重合させ、両者の下端部を組み合わせて形成した枢支部２２で左右幅方向のやや中央寄りで枢支して美容機器Ａを構成している。
【００６６】
また、この美容機器Ａは、本実施形態の特徴的な点の一つとして、美容機器本体１０に把持部１７を形成する一方、カバー体１３に把持領域形成部３４を形成し、使用者は把持部１７とカバー体１３とを同時に把持して美容機器Ａを使用するようにしている。
【００６７】
すなわち、本実施形態に係る美容機器Ａは、枢支部２２を中心に美容機器本体１０に対してカバー体１３を回動して離隔させ、予め液剤を含浸させた液剤含浸材を電極部１１に配置し、カバー体１３を回動して美容機器本体１０に重合させた後、使用者は、把持部１７と把持領域形成部３４とを併せて把持して施療部位に液剤含浸材（電極部１１）を当接させて施療を行うものである。
【００６８】
ところで、ここで示す美容機器Ａは、図３にも示すように、本体形状を電極部１１側に突出するよう弓なりに湾曲させて形成しているが、これにより、電極部１１（液剤含浸材）を施療部位に接触させた際に、美容機器Ａを把持する手が、施療部位近傍の皮膚に当接して邪魔になることがない。
【００６９】
すなわち、施療の際に美容機器Ａを把持する手を、肌の表面からできるだけ離隔させるようにしている。また、電極部１１（液剤含浸材）を顔面に接触させた場合、使用者の手首に負担をかけず、手首をできるだけ自然な角度としながら美容機器Ａを把持することができるという長所がある。
【００７０】
次に、美容機器Ａを構成する美容機器本体１０とカバー体１３との構成について、個々に説明する。
【００７１】
美容機器本体１０は、図２に示すように、外観を形成する本体ケーシング１４により構成されている。また、この本体ケーシング１４には、表面１５に美容を行うための電流を出力する電極部１１が備えられている。
【００７２】
電極部１１は、美容機器本体１０の本体上端部１８近傍に配設されており、導電性素材にて外観視略截頭円錐形状に形成している。
【００７３】
また、本体ケーシング１４は、電極部１１側から本体下端部１９へ向けて伸延する把持部１７を一体形成して構成しており、同把持部１７の長手方向の長さは、大人の掌の幅と略同等としている。
【００７４】
本体ケーシング１４の本体下端部１９の端部の幅方向やや中央よりには、凹部２０,２０を形成しており、この凹部２０,２０には、カバー体１３に設けられた枢支孔２１,２１と遊嵌して枢支部２２（後述）を形成する枢支軸２３,２３が突設されている。
【００７５】
また、本体ケーシング１４の裏面には、図４に示すように、美容機器Ａを操作するための操作部２５とが配設されている。
本体ケーシング１４の側壁面部４９には図３に示すように使用者の身体を介して電極部１１と導通する対電極部２６が配設されている。
【００７６】
電源部１６は、本体ケーシング１４の内部に充電池（図示せず）として設けられており、図１０に示す充電用接続口６０を介して充電可能となっている。この電源部１６は、本体ケーシング１４の内部に配設した回路基板に電源を供給するものである。
【００７７】
操作部２５は、本体ケーシング１４の裏面の本体上端部１８側に配設されており、同操作部２５は、美容機器Ａの電源のＯＮ／ＯＦＦを表示する電源ランプ３０と、美容機器Ａの電源のＯＮ／ＯＦＦを切り替える電源スイッチ３１と、電極部１１と対電極部２６との間で導通する電流の大小を切り替える強弱切替スイッチ３２とを備えている。
【００７８】
これらの電源ランプ３０や各スイッチ３１,３２もまた、電源部１６と同様に、本体ケーシング１４に内蔵した回路基板に接続されており、各スイッチ３１,３２,３３から回路基板２９へ各種信号を送信することにより、美容機器Ａを制御可能としている。なお、この回路基板２９については、後に図１１を用いて説明する。
【００７９】
対電極部２６は、本体ケーシング１４の裏面２４から、同本体ケーシング１４の側壁面部４９に沿って左右２つ配設されており、使用者が把持部１７と把持領域形成部３４とを共に把持することで、対電極部２６に手指が接触するようにしている。
【００８０】
また、美容機器本体１０（本体ケーシング１４）の側壁面部に着眼すると、美容機器本体１０の左右幅方向をやや狭めて本体肩部３５が形成されており、この本体肩部３５を境に、下方を把持部１７とし、上方を幅狭部３６としている。
【００８１】
また、この幅狭部３６の正面視における形状は、カバー体１３の正面視における上部の形状よりも一回り（液剤含浸材の厚み程度）小さな略相似形状としている。
【００８２】
この幅狭部３６の側壁面部４９は、後述するカバー体１３の鍔部４２との間に隙間（導出空間Ｖ）を形成して、液剤含浸材が美容機器Ａの背面側に突出するよう設けられたものである。鍔部４２は図３、図１０からも明らかなように側壁面部４９の対電極部２６の配設された位置を避けて形成されており、本体ケーシング１４とカバー体１３を同時に把持した際にカバー体１３の鍔部４２が手指と対電極部２６の接触を邪魔しないようになっている。
【００８３】
なお、図１０に示す６０は充電用の商用電源との接続口である。
【００８４】
次に、美容機器本体１０と対をなすカバー体１３について説明すると、同カバー体１３は、その上端部４０を略半円弧状に形成したカバープレート４１と、このカバープレート４１の外縁を内側に折曲して形成した鍔部４２とで構成している。
【００８５】
また、図３にも示すように、カバー体１３の長手方向の長さは、前述の本体ケーシング１４の長手方向の長さと略同長さとしており、電極部１１が開口部１２をくぐり始める際の、本体ケーシング１４に対するカバー体１３の角度θをできるだけ小さくすることができ、本体ケーシング１４に対してカバー体１３を略水平方向に押し付けた状態に可及的に近づけるようにしている。
【００８６】
さらには本実施例では、電極部１１を被施療部に当接させやすくするために美容機器本体１０及びカバー体１３を湾曲させて、電極部１１の突出方向を外側に向けている。
【００８７】
よって、この実施例では開口部１２の枢支部２２を中心とした回動軌跡と電極部１１の突出方向が一致しないが、電極部１１の形状を截頭円錐形状とし開口部１２へのスムーズな挿入を促進させている。
【００８８】
また、図２に示すように、カバープレート４１には、電極部１１を露出させるために、正面視において長手方向に長軸を向けた円形もしくは略楕円形状の開口部１２が上端部４０の近傍に穿設されており、この開口部１２は、美容機器本体１０に配設した電極部１１に対応する位置としている。
【００８９】
すなわち、美容機器本体１０とカバー体１３とを重合状態とした際に、電極部１１は開口部１２から突出するように形成している。
【００９０】
なお、開口部１２の楕円形状は、電極部１１から枢支部２２までの長さや、電極部１１の
大きさによって適宜設定することができる。
【００９１】
本実施例においては、開口部１２および電極部の頂部平面形状をカバー体の長手方向に長い楕円形状としている。開口部１２の縁には突起６１が形成され、この実施例においては図６に示すように鍔部４２と同じ方向に鍔部４２より少ない突出量となっている。突起６１の形状は連続的、断続的もしくは波状などが考えられる。
【００９２】
また、カバー体下端部４３近傍の鍔部４２には、美容機器本体１０の凹部２０,２０内に突設した枢支軸２３,２３を遊嵌するための枢支孔２１,２１を穿設しており、同枢支軸２３,２３を枢支孔２１,２１に挿入することで、枢支部２２を形成するようにしている。
【００９３】
本実施形態に係る美容機器Ａは、上述してきた構成を有する美容機器本体１０にカバー体１３を枢支して形成しているのである。
【００９４】
すなわち、美容機器本体１０とカバー体１３とは、両者の下端部にて枢支部２２を介して連結されており、カバー体１３は美容機器本体１０に対して、左右方向（美容機器Ａの幅方向）へ向けた軸線の円弧方向へ向けて所定の範囲で回動自在（開閉自在）に形成している。なお、以下の説明において、美容機器本体１０に対してカバー体１３が枢支部２２を軸として回動し、美容機器本体１０とカバー体１３とが重合した状態を閉状態といい、美容機器本体１０とカバー体１３とが離隔した状態を開状態という。
【００９５】
そして、特徴的には、把持領域形成部３４においてカバー体１３と把持部１３とを使用者が把持することにより、美容機器本体１０に対してカバー体１３が閉状態となるようにしている。すなわち、本実施形態に係る美容機器Ａは、電極部１１に液剤含浸材を載置し、使用者が把持領域形成部３４を把持することにより、枢支部２２を軸として美容機器本体１０とカバー体１３とが閉状態となり、トング状（ピンセット状）に液剤含浸材を挟持するよう構成している。カバー体の形状は把持領域形成部３４において側壁面部４９の対電極部２６を覆わない形状であれば良く、本実施例より巾が狭いもの、棒状のものなどが考えられる。棒状の場合、枢支部は１ヶ所となっても良い。
【００９６】
次に、実際に美容機器Ａを使用する手順を追って、美容機器Ａ特徴的な構成について更に説明すると、まず、図５に示すように美容機器Ａを使用するにあたり、開状態とした美容機器Ａの電極部１１に、液剤を予め含浸させた液剤含浸材を配置する。なお、図５は、本実施形態に係る美容機器Ａを開状態とした際の斜視図である。
【００９７】
次いで、カバー体１３を美容機器本体１０へ徐々に接近させると、カバー体１３は、液剤含浸材４４に接触することとなる。
【００９８】
さらに、使用者は、把持領域形成部３４において把持部１７とカバー体１３を共に把持することにより、液剤含浸材４４が電極部１１に押しつけられると同時に、液剤含浸材４４が電極部１１を被覆した状態で圧着固定されながら開口部１２より露出することとなる。
【００９９】
この際、電極部１１近傍における左右幅方向の断面を見ると、図６に示すように、美容機器本体１０とカバー体１３との間に導出空間Ｖが形成され、液剤含浸材４４が大きい場合この導出空間Ｖにより、美容機器本体１０の側壁面部４９に沿って裏面側に向けて突出することとなる。
【０１００】
ここで、従来の美容機器における液剤含浸材の挟持形態を参照すると、図１６（ｂ）に示すように、導出空間Ｖを形成していないため、液剤含浸材１０５が美容機器１００の外側面に向けて突出していることが分かる。
【０１０１】
このように美容機器１００の外側面に液剤含浸材１０５が突出すると、例えば、使用者が目の近傍を施療している場合、側方に突出した液剤含浸材１０５の端部が目に入ってしまったり、邪魔になったりするおそれがある。
【０１０２】
一方、図６に示すように、本実施形態に係る美容機器Ａによれば、導出空間Ｖを設けて液剤含浸材４４の余剰分を鍔部４２と上述した突起６１により美容機器Ａの裏面側に向けて導いて（誘導して）、裏面側に突出させることとしているため、使用者が、例えば目元近傍の施療を行った場合でも、液剤含浸材４４が目に入るおそれがなく、安全に施療を行うことができる。特に上述の突起６１は液剤含浸材４４の電極１１に対する保持力を高める効果がある。
【０１０３】
上述してきたように、本実施形態に係る美容機器Ａによれば、使用者が把持領域形成部３４を把持すると同時に対電極部２６に接触することとなり、使用者が液剤含浸材（電極部１１）を施療部位に当接させることで、電極部１１と対電極部２６との間で、液剤含浸材と人体とを介して導通し、皮膚の老廃物を除去したり、皮膚にイオン化成分を浸透させることができる。
【０１０４】
図７、図８を用いて枢支部２２の構造をより具体的に説明する。枢支部２２は本体ケーシング１４に設けられた凹部２０に枢支孔２１と枢支軸２３が係合することにより構成され、枢支軸２３が本体ケーシング１４に対し軸方向に撓みやすいように延出されている。枢支軸２３が撓むことにより枢支孔２１との係合は比較的容易に離脱出来るようにしている。また、枢支軸２３は凹部２０内に設けられているので直接手指などが触れることがなく、本実施例のような単純な構造でばね性のある枢支軸２３を形成しても強度的に問題ない。又この凹部２０は本体ケーシング１４の内部とは完全に遮断されており、枢支軸２３を介して化粧材等が浸入することを防止出来る。すなわち、この凹部２０が化粧浸入防止溜まり部として機能している。図７にて良くわかる様に、カバー体１３の鍔部４２は把持領域形成部３４においては、対電極部２６を覆わない様に設定され把持しやすい様に傾斜した形状としている。したがって、カバー体１３の開閉時の指のはさみを防止し、対電極部２６の指との接触をより確実にし、さらには本体ケーシング１４の外観に沿う様にカバー体１３が形成されることで、カバー体１３の横ずれも防止出来る。
【０１０５】
図８はカバー体１３と本体ケーシング１４の開閉ロック機構４６を示しており、カバー体１３の枢支孔２１周辺に設けられたロック凹部４７と本体ケーシング１４の凹部２０内に形成されたロック片４８が係合するようになっている。
ロック凹部４７は周上に２箇所設けられカバー体１３がほぼ開いた状態（液剤含浸材を電極部に載置する状態）とほぼ閉じた状態（液剤含浸材を挟んだ状態）でロック出来るようにしている。
【０１０６】
また、このように電極部１１から最も離れた枢支部２２にロック機構４６を設ければ、液剤含浸材を挟まずに閉じた状態と厚い液剤含浸材を挟んだ状態のいずれでも状態の違いをカバー体１３が撓むことで吸収出来、ロック状態を維持できる。
【０１０７】
次に美容機器本体１０の先端側に設けられた電極部１１の内部構成につき説明する。図９は電極部１１の内部を示す断面図であるが、電極部１１内には、導電性のあるゴム材からなる電極材５４と電極材５４の中央部分に凹入形成された空間Ｓに振動部５６が配設されている。振動部５６はモータ５２、モータ５２の先端側に設けられた偏心部５３及びモータケーシング５７からなり、モータケーシング５７と電極材５４は電極材にインサート成形された導電性ねじ受部５５に本体ケーシング１４とともにねじ止めされることで固定される。
【０１０８】
ねじ５８は導電性を有しており、よって美容機器本体１０内部の回路基板と電極部１１は電気的に接続されている。
振動部５６は、ねじ５８により複数個所ねじ止めされ、モータ５２と回路基板も接続される。振動部５６の振動はロック機構のロック力に悪影響を与えるが、上述のように振動部５６から最も離れた枢支部２２内にロック機構４６を配し、又使用中は把持されるので中途で振動が人体に吸収されロック機構４６に対する振動の影響を最小限とすることが出来る。
【０１０９】
すなわち、本実施例に係る美容機器は、本体ケーシングに重合された状態でカバー体１３を把持するにあたり、その把持領域形成部３４の上部に電極部１１、下部にロック機構４６が配された構成なので、施療中の肌との接触により電極部が受ける外力を、把持により人体に吸収させることでその影響をロック機構４６に伝達させないという特徴があるが、電極部１１に振動部５６を設けた場合、その振動についてもロック機構４６に影響を与えず、使用中のロック効果が特に優れたものとなる。
【０１１０】
次に、図１１を用いて美容機器本体１０の内部に収容した、美容機器Ａを制御するための回路基板について説明する。図１１は、回路基板の構成を示すブロック図である。
【０１１１】
図１１に示すように、回路基板は、電源を供給するための電源部１６と、同電源部１６に接続され、美容機器Ａの制御を行う制御部３８とを備えている。本実施例において電源部１６は図１０に示した商用電源との接続口６０から充電させる充電池としている。
【０１１２】
また、制御部３８には、美容機器Ａの電源のＯＮ／ＯＦＦを行うための電源スイッチ３１と、電極部１１と対電極部２６との極性を反転させるための極性反転スイッチ３３と、電極部１１より出力する電流の大小を調節する強弱切替スイッチ３２と、美容機器Ａの駆動状態を示す電源ランプ３０と振動部５６の作動の為の振動スイッチ５９を接続している。
【０１１３】
さらに、制御部３８には、電極部１１にパルスを出力するパルス出力部３９とモータ駆動部２９を接続しており、制御部３８からの信号に応じて、電源部１６より供給される電流をパルスに変換して出力したり、モータを駆動し振動を発生させたりしている。
【０１１４】
このパルス出力部３９には、被施療部に液剤含浸材を介して接触させ、当該被施療部に電流を出力する電極部１１と、前記電極部１１と使用者の人体を介して導通する対電極部２６とが接続されている。
【０１１５】
そして、このような構成の回路基板を有する美容機器Ａによれば、以下の様な動作を行うこととなる。
【０１１６】
まず、電源スイッチ３１をＯＮ動作すると、電源部１６より制御部３８に電流が供給され、電源ランプ３０が点灯し、制御部３８はパルス出力部３９にパルス出力を指示する信号を送信する。
【０１１７】
パルス出力部３９は、制御部３８からのパルス出力を指示する信号を受信すると、制御部３８を介して電源部１６からの電流を受けてパルスに変換し、電極部１１に出力する。
【０１１８】
パルスは、電極部１１から液剤含浸材を介して人体を通り、電極部１１と反対の極性を有する対電極部２６に導通することとなる。
【０１１９】
この際、電極部１１の表面に配設した液剤含浸材には、電極部１１と反対の極性を帯びた老廃物が、施療部位から吸引されて捕捉されることとなる。
【０１２０】
また、ここで、極性反転スイッチ３３をＯＮ動作すると、制御部３８は、パルス出力部３９に、電極部１１と対電極部２６との極性を入れ替える信号を送出する。
【０１２１】
これにより、例えば液剤含浸材にイオン化成分が含浸されている場合には、電極部１１の極性と反対の極性を有するイオン化成分が人体側へ向かって流れ、液剤含浸材（電極部１１）と当接する被施療部にイオン化成分を浸透させることができる。
【０１２２】
また、強弱切替スイッチ３２をＯＮ動作すると、制御部３８は、電源部１６からパルス出力部３９へ送給する電流の大小を切り替え、電極部１１から出力されるパルスの振幅が変更されることとなる。
【０１２３】
これにより、液剤含浸材に老廃物を吸着させる際の吸着力を加減したり、液剤含浸材に含まれるイオン化成分を電極部１１から被施療部へ向けて供給する際の供給量を増減させることができる。また、振動スイッチ５９をＯＮ動作すると上記モータ駆動部２９が駆動し、電極部１１に振動を与える。
【０１２４】
このようにして施療を行った後、使用者は、電源スイッチ３１をＯＦＦ動作することにより、電源部１６から供給される電流を遮断し、施療部位の老廃物の吸着や、液剤含浸材から施療部位へ供給されるイオン化成分の流れを止めることができる。
【０１２５】
次に、本発明に係る美容機器の実施形態について図１２を用いて説明する。図１２は、本発明に係る実施形態に係る美容機器Ｂを側面から見た説明図である。なお、以下の説明において、前述の説明と同じ部位には同じ符号を付している。また、前述の美容機器Ａと同様の構成を有する部分については説明を省略する。
【０１２６】
この美容機器Ｂは、前述の美容機器Ａと基本的な構成を同じくしているが、美容機器本体１０及びカバー体１３を湾曲させることなく、直線状に形成している点で異なっている。
【０１２７】
また、カバー体１３の長さを、美容機器本体１０の長さの半分よりもやや大きい長さとしており、枢支部２２を美容機器本体１０の長手方向の中途部に設けている点でも構造を異にしている。
【０１２８】
具体的には、美容機器本体１０の長手方向の長さＬ１に対し、カバー体１３の長手方向の長さは、Ｌ１の半分の値よりもやや長く形成している。また、枢支部２２は、美容機器本体１０の長さＬ１の中間点Ｐよりも本体下端部１９側に形成している。
【０１２９】
このような美容機器Ｂにおいても、美容機器本体１０の把持部１７とカバー体１３の把持領域形成部３４とを重合させて把持可能に形成しているため、液剤含浸材の大きさや厚みに左右されることなく、同液剤含浸材を電極部１１に圧着固定することができる。なお、７０はカバー体１３の把持領域形成部３４に形成されたロック機構であり閉状態において本体ケーシング１４と係合する。
【０１３０】
また、さらなる他の実施形態として、図１３に美容機器Ｃを示す。この美容機器Ｃは、前述の美容機器Ａと基本的な構成を同じくしているが、ロック機構６２が枢支部６３の位置でなく、把持領域形成部３４の側壁面部４９に設けられた点において異なる。
【０１３１】
また、枢支部６３も上述のように凹部でなく側壁面部４９に形成した突起６４にカバー体１３に形成した孔部６６を遊嵌して構成されている。
【０１３２】
ロック機構６２は本体ケージング１４の側壁面部４９に形成した突起６５にカバー体１３に形成した孔部６７を係合させて構成している。
【０１３３】
そして、把持部１７と把持領域形成部３４とを使用者が把持することにより、美容機器本体１０に対してカバー体１３が閉状態となるようにしている。このとき、ロック機構が係合し、手を放しても閉状態が維持するとともに、使用中は把持力でロック機構が補強される。
【０１３４】
また、この実施例においては対電極部６８が側壁面部４９の裏面側に偏って形成されており、したがって鍔部６９を敢えて避けるように形成しなくても対電極部６８に被らないようになっている。もちろん、対電熱部６８と指の接触性をより良好なものとするために一点鎖線にて示すように鍔部６９の一部を切り欠くことも当然考えられる。
【０１３５】
その他の構成は上述した実施例の美容機器Ａと同じ構成である。
【０１３６】
また、さらなる他の実施形態として、図１４（ａ）に美容機器Ｄを示す。この美容機器Ｄは、前述の美容機器Ａと基本的な構成を同じくしているが、枢支部２２が美容機器本体１０の側面部に設けられている点に特徴を有している。
【０１３７】
すなわち、美容機器本体１０とカバー体１３とは、図１４（ｂ）にも示すように、両者の側面部にて枢支部２２を介して連結されており、カバー体１３は美容機器本体１０に対して、美容機器Ｄの長手方向へ向けた軸線の円弧方向へ向けて所定の範囲で回動自在（開閉自在）に形成している。
【０１３８】
また、美容機器Ａと同様に、美容機器本体１０には、把持部１７が形成され、カバー体１３には把持領域形成部３４が形成されている。
【０１３９】
そして、把持部１７と把持領域形成部３４とを使用者が把持することにより、美容機器本体１０に対してカバー体１３が閉状態となるようにしている。すなわち、本実施形態に係る美容機器Ｄは、電極部１１に液剤含浸材を載置し、使用者が把持領域形成部３４を把持することにより、美容機器Ｃの上部に配設した枢支部２２を軸として美容機器本体１０とカバー体１３とが閉状態となり、液剤含浸材４４を挟持するよう構成している。
【０１４０】
このような美容機器Ｄにあっても、液剤含浸材の大きさや厚みに左右されることなく、液剤含浸材を電極部に圧着固定することができる。しかも、枢支部２２の位置を美容機器本体１０の側面部としているため、カバー体の開閉時の回動量を可及的少なくすることができる。なお、７１はカバー体１３の把持領域形成部３４に形成されたロック機構であり閉状態において本体ケーシング１４と係合する。
【０１４１】
また、さらなる他の実施形態として、図１５に美容機器Ｅを示す。この美容機器Ｅは、前述の美容機器Ａと基本的な構成を同じくしているが、美容機器本体１０とカバー体１３とが蝶番状の枢支部２２で連結されておらず、リンク機構５０を介して連結されている点に特徴を有している。
【０１４２】
具体的に説明すると、カバー体１３の鍔部４２と、美容機器本体１０の側面部との間に、美容機器Ｅの左右側面部にそれぞれ一つずつリンク機構５０が配設されており、同リンク機構５０は、略同じ長さの２本のロッド５１,５１からなり、カバー体１３が美容機器本体１０に対して略並行を保ちながら上下動するようにしている。
【０１４３】
また、美容機器本体１０には、把持部１７が形成される一方、カバー体１３には把持領域形成部３４が形成されている。
【０１４４】
そして、使用者が、把持部１７と把持領域形成部３４とを把持することにより、美容機器本体１０に対してカバー体１３が閉状態となるようにしている。すなわち、本実施形態に係る美容機器Ｅは、電極部１１に液剤含浸材を載置し、使用者が把持領域形成部３４を把持することにより、カバー体１３が美容機器本体１０に押さえつけられる状態となり、液剤含浸材を挟持するよう構成している。
【０１４５】
このような美容機器Ｅにあっても、液剤含浸材の大きさや厚みに左右されることなく、液剤含浸材を電極部に圧着固定することができる。しかも、カバー体１３の開口部１２を電極部１１に対して略水平方向から近接させることができて、美容機器Ｅを閉状態とする際に液剤含浸材がずれてしまうことを防止できる。なお、７２はカバー体１３の把持領域形成部３４に形成されたロック機構であり閉状態において本体ケーシング１４と係合する。
【０１４６】
上述してきたように、本発明によれば、美容を行うための電流を出力する電極部（例えば、電極部１１）を一端側表面（例えば、表面１５）に設け、前記電極部に電流を供給する電源部（例えば、電源部１６）を内蔵すると共に、前記電極部側から伸延する把持部（例えば、把持部１７）を一体形成した本体ケーシング（例えば、本体ケーシング１４）と、縁に突起（例えば、突起６１）が形成された開口部（例えば、開口部１２）を有し、前記電極部を被覆した状態の液剤含浸材（例えば、液剤含浸材４４）を前記開口部から露出させた状態で保持するカバー体（例えば、カバー体１３）と、を備えた美容機器において、前記カバー体は、前記本体ケーシングの長手方向の中途部を枢支部として前記電極部側を自由端として開閉自在であり、閉じられた時に前記本体ケーシングの自由端側の側壁面部との間に所定の間隙が形成されるように外縁を内側に折曲した鍔部を有し、前記液剤含浸材を前記開口部から露出させた状態で保持したときに、カバー体により電極部に圧着された液剤含浸材は、前記カバー体の鍔部と前記突起により本体ケーシングの背面側に導かれて突出することとしたため、使用者が、例えば目元近傍の施療を行った場合でも、液剤含浸材が目に入るおそれがなく、安全に施療を行うことができる。特に上述の突起は液剤含浸材の電極部に対する保持力を高める効果がある。
【０１４７】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。例えば、開口部１２の形状を楕円形状として説明したが、真円であってもよい。
【符号の説明】
【０１４８】
１０  美容機器本体
１１  電極部
１２  開口部
１３  カバー体
１４  本体ケーシング
１５  表面
１６  電源部
１７  把持部
２２  枢支部
２４  裏面
２６  対電極部
３４  把持領域形成部
４１  カバープレート
４２  鍔部
４４  液剤含浸材
Ａ  美容機器
Ｂ  美容機器
Ｃ  美容機器
Ｄ  美容機器
Ｅ  美容機器
Ｖ  導出空間
【図１】
2010279741.tif 000003
【図２】
2010279741.tif 000004
【図３】
2010279741.tif 000005
【図４】
2010279741.tif 000006
【図５】
2010279741.tif 000007
【図６】
2010279741.tif 000008
【図７】
2010279741.tif 000009
【図８】
2010279741.tif 000010
【図９】
2010279741.tif 000011
【図１０】
2010279741.tif 000012
【図１１】
2010279741.tif 000013
【図１２】
2010279741.tif 000014
【図１３】
2010279741.tif 000015
【図１４】
2010279741.tif 000016
【図１５】
2010279741.tif 000017
【図１６】
2010279741.tif 000018